(57)【特許請求の範囲】
【請求項１】
音声を再生する再生手段と、
変調成分が含まれた音声信号を収音する収音手段と、
前記音声信号に含まれる変調成分に基づいて、他の機器の音量を推定する音量推定手段と、
前記音量推定手段で推定した音量に応じて、前記再生手段の音量を制御する音量制御手段と、
を備え、
前記音声信号に含まれる変調成分は、所定の拡散符号を含み、
前記音量推定手段は、収音した音声信号と前記所定の拡散符号との相関値を算出し、算出した相関値の強度に基づいて他の機器の音量を推定することを特徴とする音響機器。
【請求項２】
前記音声信号に含まれる変調成分は、当該音声信号を出力した機器の音量情報を含み、
前記音量推定手段は、前記音量情報を復調し、復調した音量情報に基づいて他の機器の音量を推定することを特徴とする請求項１に記載の音響機器。
【請求項３】
前記音声信号に含まれる変調成分は、コンテンツの再生タイミングを示す同期情報を含み、
前記同期情報に基づいて、他の機器の音声と前記再生手段が再生する音声を同期させる同期手段を備えた請求項１または請求項２に記載の音響機器。
【請求項４】
前記再生手段が再生する音声に新たな変調成分を重畳する重畳手段を備え、
前記収音手段は、前記再生手段が再生した音声をさらに収音し、
前記音量推定手段は、前記新たな変調成分に基づいて自装置の音量をさらに推定し、
前記音量制御手段は、推定した各音量に基づいて音量バランスを決定し、前記再生手段の音量を制御することを特徴とする請求項１乃至請求項３のいずれかに記載の音響機器。
【請求項５】
請求項１乃至請求項３のいずれかに記載の音響機器を複数備えた音響システムであって、
各音響機器は、前記再生手段が再生する音声に新たな変調成分を重畳する重畳手段を備え、
前記収音手段は、他の音響機器の再生手段が再生した音声を前記音声信号として収音し、
音量推定手段は、前記音声信号に含まれる変調成分に基づいて、他の音響機器の音量を推定することを特徴とする音響システム。
【発明の詳細な説明】
【技術分野】
【０００１】
この発明は、再生する音声の音量制御を行う音響機器に関する。
【背景技術】
【０００２】
一般に、自動演奏装置（例えば自動演奏ピアノ）の伴奏楽音は、自動演奏ピアノと一体のオーディオ再生装置（オーディオ再生機能）を使って再生している。この場合、自動演奏ピアノの音量と伴奏楽音の音量は一体で管理されるため、音量バランスを自動調整することが容易である。
【０００３】
一方で、近年、伴奏楽音を自動演奏装置とは別の再生装置で同期再生をすることが提案されている（特許文献１を参照）。
【先行技術文献】
【特許文献】
【０００４】
【特許文献１】特開２０１０−５５０７６号公報
【発明の概要】
【発明が解決しようとする課題】
【０００５】
しかし、伴奏楽音を別の再生装置で再生すると、各再生装置のスピーカの配置、聴取位置、部屋の構造等、再生環境によって適切な音量バランスが異なるものとなり、自動調整することが困難であった。
【０００６】
そこで、この発明は、機器間の音量バランスを自動調整する機能を簡便に実現する音響機器を提供することを目的とする。
【課題を解決するための手段】
【０００７】
この発明の音響機器は、音声を再生する再生手段と、変調成分が含まれた音声信号を収音する収音手段と、前記音声信号に含まれる変調成分に基づいて、他の機器の音量を推定する音量推定手段と、前記音量推定手段で推定した音量に応じて、前記再生手段の音量を制御する音量制御手段と、を備えたことを特徴とする。
【０００８】
この場合、音声信号に他の機器の音量を推定するための変調成分が含まれていれば、この変調成分を復調することで他の機器の音量を推定することができ、音量バランスを自動調整することができる。
【０００９】
例えば、変調成分として拡散符号が含まれている場合、相関値（ピーク強度）の変化により音量を推定することができる。他の機器の音量が大きくなると、拡散符号のＳＮ比が高くなるため、相関値のピーク強度が高くなる。したがって、ピーク強度が高くなれば、他の機器の音量が大きくなったと推定し、自装置の音量を大きくする。この様にして音量バランスを自動調整することができる。
【００１０】
また、変調成分に音量情報が含まれている場合には、この音量情報を復号することで、音量制御を行うこともできる。例えば音量情報のビットデータ（０，１）で拡散符号を位相変調（正負反転）したものである場合、復調側では、相関値のピークの正負判定を行うことでビットデータを復号することができる。
【００１１】
なお、変調成分には、コンテンツの再生タイミングを示す同期情報が含まれていてもよい。例えば、ＭＩＤＩに準じた基準クロックを同期情報として重畳しておけば、再生側では、復号した基準クロックでシーケンサを作動させることにより自動演奏を行うことができ、収音した音声信号と自装置で再生する音声とを同期させることができる。
【００１２】
また、上記音響機器において、自装置が再生する音声に新たな変調成分を重畳する重畳手段を備えている態様も可能である。この場合、収音手段は、自装置が再生した音声をさらに収音し、音量推定手段は、重畳した新たな変調成分を復調して自装置の音量をさらに推定し、音量制御手段は、推定した各音量に基づいて音量バランスを決定する。つまり、他の装置の音量に加え、自装置の音量も考慮して音量制御を行うため、より正確な音量バランスに調整することができる。
【００１３】
また、音響機器を複数備えた音響システムを構成し、各音響機器が自装置の再生する音声に新たな変調成分を重畳する重畳手段を備えている態様も可能である。この場合、収音手段は、他の音響機器が再生した音声を収音し、音量推定手段は、収音した音声信号に含まれる変調成分に基づいて、他の音響機器の音量を推定することで、複数の機器間で相互に音量調整を行うことができる。
【発明の効果】
【００１４】
この発明によれば、伴奏楽音を別の装置で再生する場合でも、音量バランスを自動調整する機能を簡便に実現することができる。
【図面の簡単な説明】
【００１５】
【図１】音響システムの主要構成を示すブロック図である。
【図２】再生装置１の構成を示すブロック図である。
【図３】再生装置２の構成を示すブロック図である。
【図４】他の例に係る再生装置１の構成を示すブロック図である。
【図５】さらに変調成分を重畳する場合の再生装置２の構成を示すブロック図である。
【図６】スピーカを複数設ける場合の音響システムの主要構成を示すブロック図である。
【図７】スピーカを複数設ける場合の再生装置２の構成を示すブロック図である。
【図８】再生装置２を複数設け、相互に音量調整を行う場合の音響システムの主要構成を示すブロック図である。
【図９】リモコンを用いて自動音量調整を行う場合の音響システムの構成を示すブロック図である。
【図１０】リモコンを用いて自動音量調整を行う場合の再生装置２およびリモコン５の構成を示すブロック図である。
【図１１】分析サーバを用いる場合の音響システムの構成を示すブロック図である。
【図１２】分析サーバを用いる場合の再生装置２および分析サーバ９の構成を示すブロック図である。
【図１３】分析サーバを用い、コンテンツを特定する場合の再生装置２および分析サーバ９の構成を示すブロック図である。
【発明を実施するための形態】
【００１６】
図１は、本発明の実施形態に係る音響システムの構成を示す図である。音響システムは、複数の再生装置からなり、同図の例では、再生装置１および再生装置２からなる。再生装置１には、スピーカ１０が接続され、再生装置２には、スピーカ２０が接続されている。再生装置１および再生装置２は、それぞれ所定のコンテンツを再生してスピーカ１０およびスピーカ２０から音声を放音する。
【００１７】
マイク３０は、聴取位置（聴取者の近傍）に設置されている。マイク３０は、聴取位置における聴取音（スピーカ１０およびスピーカ２０の放音音声）を収音し、収音した音声信号を再生装置２に出力する。再生装置２は、マイク３０の収音した音声信号に含まれている変調成分に基づいて再生装置１の音量を推定し、自装置の再生音量を制御して再生装置１との音量バランスを自動調整するものである。
【００１８】
なお、同図の例では、再生装置２の設置位置から離れた聴取位置にマイク３０が設置されている例を示しているが、マイク３０は再生装置２に内蔵されている態様であってもよい。音圧は、距離の２乗に反比例するため、再生装置１、再生装置２、および聴取位置の位置関係を把握している場合、聴取位置における音量を推定することができる。例えば、再生装置１と再生装置２の間隔が３ｍであり、聴取者が各装置の中間位置（再生装置１および再生装置２から１．５ｍ離れた位置）で聴取する場合、聴取位置においては再生装置２で収音した音量の約４倍の音量の音声が到達していると判断することができる。
【００１９】
図２（Ａ）は、再生装置１の構成を示すブロック図である。再生装置１は、制御部１１、コンテンツデータ格納部１２、再生部１３、重畳部１４、操作部１５、および音量調整部１６を備えている。
【００２０】
コンテンツデータ格納部１２は、例えばＭＰ３等の圧縮オーディオや楽曲データ（ＭＩＤＩデータ）等のコンテンツデータを記憶している。
【００２１】
再生部１３は、コンテンツデータ格納部１２からコンテンツデータを読み出し、音声を再生する。コンテンツデータが圧縮オーディオである場合、再生部１３は、音声信号にデコードし、重畳部１４に出力する。コンテンツデータがＭＩＤＩデータである場合、再生部１３は、音源（不図示）を制御して楽音（音声信号）を発生し、重畳部１４に出力する。
【００２２】
重畳部１４は、再生部１３から入力される音声信号に、変調成分を重畳する。変調成分が重畳された音声信号は、音量調整部１６で音量調整され、スピーカ１０から放音される。音量調整部１６の音量調整量は、制御部１１により制御される。制御部１１は、操作部１５の操作に応じた音量調整量を音量調整部１６に設定する。
【００２３】
重畳部１４の重畳方式は、変調成分が聴取し難いような手法を用いる。例えば、Ｍ系列やＧｏｌｄ系列等の拡散符号（ＰＮ符号）を、聴感上違和感のない微弱なレベルで高帯域に重畳する。なお、コンテンツデータに予め拡散符号等の変調成分が重畳されている場合、再生装置１の構成としては、図４（Ａ）に示すように、重畳部１４が不要となる。
【００２４】
図２（Ｂ）は、重畳部１４の構成の一例を示すブロック図である。重畳部１４は、ＬＰＦ１４０、加算器１４１、拡散符号発生部１４２、およびＨＰＦ１４３を備えている。
【００２５】
拡散符号発生部１４２は、制御部１１の指示に従って、定期的にＭ系列の拡散符号を発生し、ＨＰＦ１４３に出力する。ＨＰＦ１４３で帯域制限された拡散符号は、加算器１４１でコンテンツの音声信号と合成される。コンテンツの音声信号は、ＬＰＦ１４０で拡散符号の周波数成分と異なる帯域に制限されている。
【００２６】
なお、ＨＰＦ１４３の通過帯域は、２０ｋＨｚ以上の非可聴域にすることが望ましいが、Ｄ／Ａ変換や圧縮オーディオのエンコード等により非可聴域が使えない構成の場合、例えば１０〜１５ｋＨｚ程度の帯域であっても、聴感上の影響は少なくすることができる。また、この例では、ＬＰＦ１４０でコンテンツの音声信号と拡散符号の帯域を完全に分割する態様としているが、コンテンツの音声信号と疑似ノイズの周波数成分が若干重複していたとしても、聴取者に変調信号が聞こえにくく、かつ収音側で変調成分を復調する程度のＳＮ比を確保することは可能である。
【００２７】
再生装置２は、以上の様な拡散符号が重畳された音声をマイク３０で収音し、収音した音声信号と、重畳側と同じ拡散符号と、の相関値を算出し、算出した相関値のピーク強度に応じて再生装置１の音量を推定する。図３（Ａ）は、再生装置２の構成を示すブロック図である。再生装置２は、操作部２１、制御部２２、復調部２４、コンテンツデータ格納部２５、再生部２６、および音量調整部２７を備えている。
【００２８】
コンテンツデータ格納部２５は、ＭＰ３等の圧縮オーディオや楽曲データ（ＭＩＤＩデータ）等のコンテンツデータを記憶している。再生部２６は、コンテンツデータ格納部２５からコンテンツデータを読み出し、音声を再生する。再生するコンテンツは、操作部２１の操作に応じて制御部２２が指示する。
【００２９】
再生部２６から出力された音声信号は、音量調整部２７で音量調整され、スピーカ２０から放音される。音量調整部２７の調整量は、制御部２２により制御される。制御部２２は、復調部２４における復調結果に基づいて再生装置１の音量を推定し、音量調整部２７の音量調整量を決定する。
【００３０】
図３（Ｂ）は、復調部２４の構成、および制御部２２における音量推定を行うための機能構成を示すブロック図である。復調部２４は、ＨＰＦ２４１および相関器２４５を備えている。マイク３０が収音した音声は、ＨＰＦ２４１に入力される。ＨＰＦ２４１は、コンテンツの音声信号成分を除去するためのフィルタであり、上記ＨＰＦ１４３の通過帯域と同じ通過帯域が設定されている。ＨＰＦ２４１の出力信号は、相関器２４５に入力される。
【００３１】
相関器２４５は、フィルタ係数として拡散符号発生部１４２で発生する拡散符号が設定されたＦＩＲフィルタ（マッチドフィルタ）からなり、入力された音声信号と拡散符号との相関値を求める。拡散符号は、Ｍ系列やＧｏｒｄ系列等の自己相関性が高い符号を用いているため、相関器２４５が出力する相関値は、拡散符号の周期でピーク成分が抽出される。抽出されたピークにおける相関値（ピーク強度）は、制御部２２に出力される。制御部２２は、機能的に音量推定部２２１および音量値記憶部２２２を備えており、音量推定部２２１は、相関器２４５から入力されたピーク強度で音量値記憶部２２２を参照することにより、再生装置１の音量を推定する。すなわち、音量値記憶部２２２には、ピーク強度に対する再生装置１の推定音量値が記憶されており、音量推定部２２１は、抽出されたピーク強度に対応する推定音量値を読み出すことで、音量値を推定することができる。制御部２２は、推定した音量値に応じて音量調整部２７の調整量を設定する。
【００３２】
ピーク強度に対する音量値は、最初に各装置を設置したとき（初期設定時）に再生装置１の音量を変化させて、それぞれの音量におけるピーク強度を測定してデータベース化しておいてもよいし、１または数点のデータを記憶しておき、都度音量値を算出するようにしてもよい。マイク３０が固定されている場合、再生装置１の制御部１１が音量調整部１６の音量調整量を変更すると、拡散符号の音量も変化し、ＳＮ比が変化するため、ピーク強度の変化は、聴取位置における音量変化に相当する。例えば、再生装置１の操作部１５の操作に応じて制御部１１が音量調整部１６の音量調整量を大きく設定すると、拡散符号のＳＮ比が高くなり、ピーク強度が高くなる。したがって、音量推定部２２１は、ピーク強度が高くなれば、再生装置１の音量が大きくなったと推定し、自装置の音量を大きくする。
【００３３】
この様にして再生装置２は、再生装置１の音量を推定し、再生装置１との音量バランスを自動調整することができる。例えば、再生装置１がピアノ音を再生し、再生装置２が伴奏音を再生する場合であっても、再生装置２が再生装置１の音量にあわせて音量を変化させるため、常に適切な音量バランスで再生されることになる。
【００３４】
また、再生装置１が自身の音量調整量を音量情報として音声信号に重畳し、再生装置２が重畳されている音量情報を復調して音量調整を行うように構成することも可能である。音量情報の重畳方式は、どの様な方式であってもよいが、例えば、拡散符号を音量情報（０，１のデータ符号列とする。）で位相変調することにより行う。
【００３５】
図２（Ｃ）は、スペクトラム拡散を用いる場合の重畳部１４の構成の一例を示すブロック図である。この例では、拡散符号発生部１４２が出力するＭ系列の拡散符号と音量情報（−１，１に２値化した符号列）を乗算器１４４で乗算することにより、拡散符号を位相変調する。すなわち、データ符号が１の場合には位相が正転、ビットデータが０の場合には位相が反転した拡散符号となる。
【００３６】
位相変調後の拡散符号は、ＸＯＲ回路１４５に入力される。ＸＯＲ回路１４５は、乗算器１４４から入力された符号と遅延器１４６を経て入力された１サンプル前の出力符号の排他的論理和を出力する。差動符号化後の信号は、−１，１で２値化しておくものとする。−１，１に２値化した差動符号を出力することで、復調側では、連続する２サンプルの差動符号を乗算することにより差動符号化前の拡散符号を抽出することができる。
【００３７】
そして、差動符号化した拡散符号は、ＬＰＦ１４７においてベースバンド内で帯域制限され、乗算器１４８に入力される。乗算器１４８は、キャリア信号発生器１４９が出力するキャリア信号（コンテンツの音声信号より高域のキャリア信号）とＬＰＦ１４７の出力信号を乗算し、差動符号化後の拡散符号をパスバンドに周波数シフトする。なお、差動符号化後の拡散符号は、アップサンプリングしてから周波数シフトしてもよい。周波数シフトされた後の拡散符号は、加算器１４１で音声信号と合成される。
【００３８】
以上のようにして、データ符号列（音量情報）が重畳された音声が放音される。
【００３９】
図３（Ｃ）は、音量情報を復号する場合の復調部２４の構成を示すブロック図である。復調部２４に入力された音声信号は、ＨＰＦ２４１に入力される。ＨＰＦ２４１の出力信号は、遅延器２４２および乗算器２４３に入力される。遅延器２４２の遅延量は、差動符号の１サンプル分の時間に設定される。差動符号をアップサンプリングしている場合、アップサンプリング後の１サンプル分の時間に設定される。乗算器２４３は、ＨＰＦ２４１から入力される信号と、遅延器２４２から出力される１サンプル前の信号とを乗算し、遅延検波処理を行う。差動符号化された信号は、−１，１に２値化されており、１サンプル前の符号からの位相変化を示したものであるため、１サンプル前の信号と乗算することにより、差動符号化前の音量情報（拡散符号）が抽出される。
【００４０】
そして、乗算器２４３の出力信号は、ＬＰＦ２４４を経てベースバンド信号として抽出され、相関器２４５に入力される。相関器２４５が出力する相関値は、ピーク検出部２４６で拡散符号の周期（データ符号の周期）で正負のピーク成分が抽出される。符号判定部２４７は、各ピーク成分を音量情報のデータ符号（０，１）として復号する。
【００４１】
制御部２２は、復調部２４が復号した音量情報に応じて再生装置１の音量を推定し、音量調整部２７の音量を調整する。以上のようにして、再生装置１との音量バランスを自動調整することができる。
【００４２】
なお、重畳部１４は、音量情報に限らず、他の情報を重畳してもよい。例えば、再生するコンテンツを特定するための情報やコンテンツの再生タイミングを示す同期情報を重畳し、再生装置１と再生装置２でコンテンツの同期再生を行ってもよい。
【００４３】
同期再生を行う場合、再生装置１が再生開始からの時間経過を示す情報を同期情報として重畳し、再生装置２がこの時間経過を示す情報に応じて音声を再生するように構成してもよいが、コンテンツデータがＭＩＤＩデータに準じた形式である場合、上記拡散符号のピーク抽出タイミングを基準クロックとして用い、同期再生を行うことも可能である。この場合、制御部１１は、基準クロックの時間間隔で拡散符号を出力するように重畳部１４に設定する。再生装置２の再生部２６は、定期的に算出される相関値のピークを基準クロックとしてシーケンサを作動させ、自動演奏を行うことが可能である。
【００４４】
なお、楽音発生タイミングと基準クロックとの時間差に関する情報を重畳しておけば、復調側でさらに高精度な同期再生を行うことができる。また、ノートナンバやベロシティ等の演奏情報も重畳しておけば、復調側でＭＩＤＩデータを記憶していなくとも、自動演奏を行うことができる。
【００４５】
なお、ピーク強度による音量の推定と、位相変調による各種情報の復号は、同時に行うことも可能である。例えば、ピーク強度で音量を推定しながら、同期情報を復号して同期再生を行う。
【００４６】
なお、上述の例では、再生装置１がコンテンツを再生してスピーカ１０から音声として放音する構成を示したが、再生装置１に接続される自動演奏楽器（例えば自動演奏ピアノ）を用いて楽音を発生させる態様とすることも可能である。自動演奏ピアノは、入力されたＭＩＤＩデータに応じて、ピアノ内部のキーアクションに取り付けられたソレノイドを作動させて打鍵を行うアコースティック楽器である。
【００４７】
この場合、再生装置１は、図４（Ｂ）に示すように、制御部１１、コンテンツデータ格納部１２、操作部１５、音量調整部１６、再生制御部１７および変調音声生成部１８を備えた構成となる。再生制御部１７は、コンテンツデータ格納部１２に記憶されているＭＩＤＩデータを読み出してベロシティ等の音量パラメータを調整した後、自動演奏楽器１９に出力する。再生制御部１７の音量パラメータの調整量は、制御部１１によって調整される。
【００４８】
変調音声生成部１８は、図２（Ｂ）や図２（Ｃ）に示した重畳部１４と同様の構成であるが、図４（Ｃ）または図４（Ｄ）に示すように、コンテンツの音声信号が入力される系統であるＬＰＦ１４０や加算器１４１の構成が省略され、拡散符号がスピーカ１０に直接出力されるものである。すなわち、この例では、スピーカ１０からは変調音声だけが出力される。
【００４９】
図４（Ｃ）に示す例の場合も、操作部１５の操作によって制御部１１が再生制御部１７の音量パラメータを調整すると、制御部１１は、音量調整部１６の音量調整量を変更し、自動演奏楽器１９の音量変化に応じて変調音声の音量を変化させる。または、自動演奏楽器１９の音量パラメータに相当する音量情報が重畳された変調音声を放音する。これにより、再生装置２は、自動演奏楽器１９の音量を推定し、自動演奏楽器１９との音量バランスを自動調整することができる。
【００５０】
＜＜応用例１＞＞
図５（Ａ）は、応用例１に係る再生装置２の構成を示すブロック図である。この場合、再生装置２は、図３（Ａ）に示した構成に加え、再生部２６の再生した音声に変調成分を重畳する重畳部２８を備えている。
【００５１】
重畳部２８の構成は、図２（Ｂ）または図２（Ｃ）に示した重畳部１４の構成と同様である。この場合、再生装置２は、聴取位置（マイク３０が設置された位置）における自身の音量を推定するための変調成分を重畳した音声をスピーカ２０から放音する。ただし、再生装置２で重畳する拡散符号は、再生装置１で重畳する拡散符号とは異なる符号を用いる。
【００５２】
この場合、復調部２４は、図５（Ｂ）に示すように、収音した音声信号は、複数の相関器２４５に入力され、再生装置１で重畳する拡散符号との相関値と、再生装置２で重畳する拡散符号との相関値と、が別々に算出される。音量推定部２２１は、それぞれの相関器２４５から入力されるピーク強度に基づいて、再生装置１の音量および再生装置２の音量（聴取位置における音量）を推定し、予め設定された音量バランスとなるように音量調整部２７の音量を設定する。
【００５３】
以上の構成により、各再生装置のスピーカの配置、聴取位置、部屋の構造等、再生環境が変更された場合であっても、より正確な音量バランスに調整することができる。
【００５４】
＜＜応用例２＞＞
図６は、応用例２に係る音響システムの構成を示すブロック図である。この例では、再生装置２に複数のスピーカ２０Ａ、スピーカ２０Ｂが接続されている。この場合、再生装置２は、図７に示すように、スピーカ２０Ａの出力系統に重畳部２８Ａおよび音量調整部２７Ａを備え、スピーカ２０Ｂの出力系統に重畳部２８Ｂおよび音量調整部２７Ｂを備えている。
【００５５】
この場合、スピーカ毎に異なる拡散符号が重畳される。つまり、再生装置１のスピーカ１０の放音音声に重畳される拡散符号、スピーカ２０Ａの放音音声に重畳される拡散符号、およびスピーカ２０Ｂの放音音声に重畳される拡散符号がそれぞれ異なるものとなる。復調部２４は、スピーカの数だけ相関器を備え、それぞれ異なる拡散符号との相関値を求め、復調を行う。
【００５６】
以上のように、再生装置１および再生装置２に接続されるスピーカの数は１つに限らず、複数であってもスピーカ毎に異なる拡散符号を用いることで、音量を推定することができ、音量バランスを自動調整することができる。
【００５７】
＜＜応用例３＞＞
次に、図８は、応用例３に係る音響システムの構成を示すブロック図である。この例では、再生装置２を複数設け、それぞれにスピーカ２０を接続する。この例における再生装置２の構成は、図５（Ａ）に示したように、再生部２６の再生した音声に変調成分を重畳する重畳部２８を備えているものである。
【００５８】
この場合、各再生装置２は、他の装置のスピーカから放音された音声の変調成分を復調し、他の装置の音量を推定して音量調整量を変更する構成となり、双方向に音量を推定する構成となる。この場合、いずれか一方の再生装置２の音量調整量が基準となり、他方の再生装置２が音量調整量を変更する構成とすればよい。
【００５９】
＜＜応用例４＞＞
図９は、応用例４に係る音響システムの構成を示すブロック図である。この例では、図１の音響システムに対し、マイク３０に代えて、マイク５１を内蔵したリモコン５を備えている。リモコン５は、専用の機器であってもよいが、デジタルオーディオプレーヤ等、マイクおよびＣＰＵ等のプロセッサを備えた装置により実現することも可能である。この例では、リモコン５と再生装置２は、無線ＬＡＮや赤外線通信などの無線通信を行う。
【００６０】
図１０は、応用例４に係る再生装置２およびリモコン５の構成を示すブロック図である。この場合、再生装置２は、図３（Ａ）に示した再生装置２に対して、操作部２１および復調部２４が省略された構成となっている。操作部２１の機能は、リモコン５の操作部５３により実現され、復調部２４の機能は、リモコン５の復調部５４により実現される。
【００６１】
すなわち、リモコン５は、マイク５１で収音した音声信号を復調部５４に入力し、相関値のピーク強度を算出し、制御部５５に出力する。または、リモコン５は、復調部５４で復号した音量情報を制御部５５に出力する。制御部５５は、相関値のピーク強度から算出した音量推定値や、入力された音量情報を、無線通信を介して再生装置２の制御部２２に出力する。制御部２２は、無線通信を介して受信した音量推定値や音量情報に基づいて音量調整部２７の音量調整量を変更する。
【００６２】
＜＜応用例５＞＞
図１１は、応用例５に係る音響システムの構成を示すブロック図である。この例では、再生装置２がインターネット等のネットワーク７を介して分析サーバ９に接続されている。
【００６３】
図１２は、応用例５に係る再生装置２および分析サーバ９の構成を示すブロック図である。分析サーバ９は、制御部９２、および復調部９４を備えている。この例における再生装置２は、図３（Ａ）に示した再生装置２に対して、復調部２４が省略された構成となっている。
【００６４】
この例では、制御部２２は、マイク３０で収音した音声信号を、ネットワーク７を介して分析サーバ９の制御部９２に送信する。制御部９２は、受信した音声信号を復調部９４に入力する。復調部９４は、図３（Ａ）で示した復調部２４と同一の構成、機能を有し、相関値のピーク強度や音量情報を復調する。制御部９２は、復調した相関値のピーク強度に基づいて再生装置１の音量調整量を推定した音量推定値を算出し、再生装置２の制御部２２に送信する。または、制御部９２は、復調した音量情報を再生装置２の制御部２２に送信する。再生装置２の制御部２２は、受信した音量推定値や音量情報に基づいて、音量調整部２７の音量調整量を変更する。
【００６５】
このように、マイクで収音した音声信号は、分析サーバで分析し、再生装置２は、収音した音声信号を送信し、分析結果を受信して動作を行う態様とすることも可能である。
【００６６】
＜＜応用例６＞＞
図１３は、応用例６に係る再生装置２および分析サーバ９の構成を示すブロック図である。分析サーバ９は、図１２に示した構成に加え、コンテンツ情報格納部９５を備えている。また、この例における再生装置２は、図３（Ａ）に示した例と同様の構成を有する。
【００６７】
この例では、再生装置２の復調部２４は、音量情報に加えて、上記コンテンツを特定するための情報を復調する。すなわち、再生装置１の重畳部１４は、音量情報に加えて、自装置が再生しているコンテンツを特定するための情報（曲名、歌手名等の曲情報や、曲毎に固有の曲ＩＤ等）を音声信号に重畳する。再生装置２の制御部２２は、復調した再生装置１の音量情報とコンテンツ特定情報をネットワーク７を介して分析サーバ９の制御部９２に送信する。
【００６８】
制御部９２は、受信したコンテンツ特定情報でコンテンツ情報格納部９５を参照する。図１３（Ｂ）に示すように、コンテンツ情報格納部９５は、コンテンツ毎に基準音量が記載されており、制御部９２は、受信したコンテンツ特定情報に該当するコンテンツの基準音量を読み出す。そして、制御部９２は、基準音量と、受信した再生装置１の音量情報に基づいて、再生装置２が再生すべき音量を算出する。例えば、再生装置２が再生装置１と同じコンテンツを再生する場合、聴取位置において基準音量となるように、基準音量に対する再生装置１の音量不足分を再生装置２の音量とする。再生装置２が再生装置１と異なるコンテンツを再生する場合（例えば同一曲のピアノ音のコンテンツに関連する伴奏音のコンテンツを再生する場合）、コンテンツ情報格納部９５は、図１３（Ｃ）に示すように、コンテンツ毎（パート毎）の基準音量を記憶しておく。そして、制御部９２は、再生装置１と再生装置２の音量比がパート間の基準音量の比となるように、再生装置２の音量を算出する。
【００６９】
このとき、再生装置２が自身の再生するコンテンツ（パート）を特定するための情報を分析サーバ９に送信してもよい。また、再生装置２が自装置の再生機能（オーディオ再生機能、自動演奏機能等）を示す情報を分析サーバ９に送信し、分析サーバ９において、再生装置２が再生すべきコンテンツ（パート）を特定し、そのコンテンツの再生音量を算出する態様としてもよい。この場合、再生装置２は、分析サーバ９で特定されたコンテンツを示す情報を受信し、受信した情報に示されるコンテンツを再生する。
【００７０】
分析サーバ９の制御部９２は、以上のようにして算出した音量等の各種情報を再生装置２の制御部２２に送信する。再生装置２の制御部２２は、受信した情報に基づいて、コンテンツを再生し、音量調整部２７の音量調整量を変更する。このようにして、再生装置２は、再生装置１が再生しているコンテンツを特定する動作を行い、音量情報はサーバからダウンロードする態様とすることも可能である。
【符号の説明】
【００７１】
１…再生装置
２…再生装置
１０…スピーカ
１１…制御部
１２…コンテンツデータ格納部
１３…再生部
１４…重畳部
１５…操作部
１６…音量調整部
１７…再生制御部
１８…変調音声生成部
１９…自動演奏楽器
２０…スピーカ
２１…操作部
２２…制御部
２４…復調部
２５…コンテンツデータ格納部
２６…再生部
２７…音量調整部
２８…重畳部
３０…マイク
【図１】
0005549319.tif 000002
【図２】
0005549319.tif 000003
【図３】
0005549319.tif 000004
【図４】
0005549319.tif 000005
【図５】
0005549319.tif 000006
【図６】
0005549319.tif 000007
【図７】
0005549319.tif 000008
【図８】
0005549319.tif 000009
【図９】
0005549319.tif 000010
【図１０】
0005549319.tif 000011
【図１１】
0005549319.tif 000012
【図１２】
0005549319.tif 000013
【図１３】
0005549319.tif 000014